(57)【特許請求の範囲】
【請求項１】
コンピュータ本体と、
このコンピュータ本体に設けられ、内部ＦＤＤユニットと内部ＣＤＲＯＭドライブユニットとを選択的に装着可能な装着部と、
前記コンピュータ本体内に設けられ、前記装着部に装着された内部ＦＤＤユニットとのインタフェースを行うための内部ＦＤＤポートと、
前記コンピュータ本体内に設けられ、前記装着部に装着された内部ＣＤＲＯＭドライブユニットとのインタフェースを行うための内部ＣＤＲＯＭポートと、
前記コンピュータ本体に設けられ、外部ＦＤＤユニットが取り外し自在に接続され、その外部ＦＤＤユニットとのインタフェースを行うための外部ＦＤＤポートと、
前記装着部に前記内部ＦＤＤユニットと内部ＣＤＲＯＭドライブユニットのどちらが装着されているかを検出し、前記装着部に前記内部ＦＤＤユニットが装着されたことが検出された場合には外部ＦＤＤポートをディスエーブル状態に設定し、前記装着部に前記内部ＣＤＲＯＭドライブユニットが装着されたことが検出された場合には前記外部ＦＤＤポートをイネーブル状態に設定する外部ＦＤＤポートイネーブル／ディスエーブル制御手段とを具備することを特徴とするポータブルコンピュータ。
【請求項２】
前記内部ＦＤＤポートおよび外部ＦＤＤポートの双方に接続されたフロッピーディスクコントローラをさらに具備し、
前記外部ＦＤＤポートイネーブル／ディスエーブル制御手段は、
前記内部ＦＤＤポートの所定ピンの電圧値または前記内部ＣＤＲＯＭポートの所定ピンの電圧値に応じて、前記装着部に前記内部ＦＤＤユニットが装着されているか否かを示す検出信号を発生する検出回路と、
前記フロッピーディスクコントローラと前記外部ＦＤＤポート間に結合され、前記検出回路からの検出信号に応じて、前記フロッピーディスクコントローラと前記外部ＦＤＤポート間を電気的に接続または遮断するゲート回路とを含むことを特徴とする請求項１記載のポータブルコンピュータ。
【請求項３】
コンピュータ本体と、
このコンピュータ本体に対して着脱可能に設けられる第１の磁気ディスクドライブユニットおよび光ディスクドライブユニットが選択的に装着可能な装着部と、
前記装着部に前記第１の磁気ディスクドライブユニットが装着された際のインタフェースを行う第１のポートと、
前記装着部に前記光ディスクドライブが装着された際のインタフェースを行う第２のポートと、
第２の磁気ディスクドライブユニットが取り外し自在に接続され、前記第２の磁気ディスクドライブユニットが接続された際のインタフェースを行う第３のポートと、
前記装着部に前記第１の磁気ディスクドライブユニットと前記光ディスクドライブユニットのどちらが装着されているかを検出し、前記装着部に前記第１の磁気ディスクドライブユニットが装着されたことが検出された場合には前記第３のポートをディスエーブル状態に設定し、前記装着部に前記光ディスクドライブユニットが装着されたことが検出された場合には前記第３のポートをイネーブル状態に設定する制御手段とを具備することを特徴とするポータブルコンピュータ。
【発明の詳細な説明】
【０００１】
【発明の属する技術分野】
この発明はポータブルコンピュータに関し、特にフロッピーディスクドライブユニットなどの磁気ディスク装置を内蔵可能なポータブルコンピュータに関する。
【０００２】
【従来の技術】
近年、ラップトップタイプまたはノートブックタイプのポータブルパーソナルコンピュータが種々開発されている。この種のポータブルパーソナルコンピュータのほとんどは、例えば３．５インチのフロッピーディスクドライブ（ＦＤＤ）ユニットを内蔵している。
【０００３】
しかしながら、最近では、各種アプリケーションソフトウェアなどがＣＤによって供給されるケースが増えており、ＣＤＲＯＭドライブを使用することができるポータブルパーソナルコンピュータの開発が要求され始めている。
【０００４】
従来、ＣＤＲＯＭドライブを使用する場合には、ポータブルパーソナルコンピュータに専用の拡張ユニットを接続し、その拡張ユニットにＣＤＲＯＭドライブユニットを装着する必要があった。
【０００５】
また、コンピュータ本体にＣＤＲＯＭドライブユニットを内蔵することも可能であるが、この場合には、そのＣＤＲＯＭドライブユニットの分だけコンピュータ本体を大きく設計しなければならないという不具合が生じる。
【０００６】
すなわち、もしＣＤＲＯＭドライブユニットをコンピュータ本体内のシステムボードと重なる位置に設けるとコンピュータ本体を厚く設計しなければならず、また、ＣＤＲＯＭドライブユニットをシステムボードと重ならない位置に設けると、コンピュータ本体の平面的な面積（フットプリント）が増大することになる。
【０００７】
【発明が解決しようとする課題】
従来では、ＣＤＲＯＭドライブユニットをコンピュータ本体に内蔵すると、コンピュータ本体の厚さや、フットプリントが増大される欠点があった。
【０００８】
このため小型化の為の新たな構造が要求されているが、それに際しては、誤動作等の危険を招くことなく、ＦＤＤユニットとの接続構造を改良することが必要となる。
【０００９】
この発明はこのような点に鑑みてなされたもので、小型化に対応でき、しかもそれによる誤動作の発生を防止することが可能なポータブルコンピュータを提供することを目的とする。
【００１０】
【課題を解決するための手段】
この発明のポータブルコンピュータは、コンピュータ本体と、このコンピュータ本体に設けられ、内部ＦＤＤユニットと内部ＣＤＲＯＭドライブユニットとを選択的に装着可能な装着部と、前記コンピュータ本体内に設けられ、前記装着部に装着された内部ＦＤＤユニットとのインタフェースを行うための内部ＦＤＤポートと、前記コンピュータ本体内に設けられ、前記装着部に装着された内部ＣＤＲＯＭドライブユニットとのインタフェースを行うための内部ＣＤＲＯＭポートと、前記コンピュータ本体に設けられ、外部ＦＤＤユニットが取り外し自在に接続され、その外部ＦＤＤユニットとのインタフェースを行うための外部ＦＤＤポートと、前記装着部に前記内部ＦＤＤユニットと内部ＣＤＲＯＭドライブユニットのどちらが装着されているかを検出し、前記装着部に前記内部ＦＤＤユニットが装着されたことが検出された場合には外部ＦＤＤポートをディスエーブル状態に設定し、前記装着部に前記内部ＣＤＲＯＭドライブユニットが装着されたことが検出された場合には前記外部ＦＤＤポートをイネーブル状態に設定する外部ＦＤＤポートイネーブル／ディスエーブル制御手段とを具備することを特徴とする。
【００１１】
このポータブルコンピュータにおいては、装着部に内部ＣＤＲＯＭドライブユニットを装着した場合には内部ＦＤＤは使用できないが、その代わりに外部ＦＤＤポートが自動的にイネーブル状態に設定される。このため、ユーザは外部ＦＤＤのイネーブル／ディスエーブル操作を行うこと無く、ＣＤＲＯＭドライブを装着した状態で外部ＦＤＤポートに外部ＦＤＤを接続しさえすれば、外部ＦＤＤを使用することが可能となる。また、装着部に内部ＦＤＤユニットを装着した場合には、誤って外部ＦＤＤが接続されても誤動作が生じることが無いように、外部ＦＤＤポートが自動的にディスエーブルされる。よって、小型化に対応でき、しかもそれによる誤動作の発生を防止することが可能となる。
【００１２】
また、本発明のポータブルコンピュータは、コンピュータ本体と、このコンピュータ本体に対して着脱可能に設けられる第１の磁気ディスクドライブユニットおよび光ディスクドライブユニットが選択的に装着可能な装着部と、前記装着部に前記第１の磁気ディスクドライブユニットが装着された際のインタフェースを行う第１のポートと、前記装着部に前記光ディスクドライブが装着された際のインタフェースを行う第２のポートと、第２の磁気ディスクドライブユニットが取り外し自在に接続され、前記第２の磁気ディスクドライブユニットが接続された際のインタフェースを行う第３のポートと、前記装着部に前記第１の磁気ディスクドライブユニットと前記光ディスクドライブユニットのどちらが装着されているかを検出し、前記装着部に前記第１の磁気ディスクドライブユニットが装着されたことが検出された場合には前記第３のポートをディスエーブル状態に設定し、前記装着部に前記光ディスクドライブユニットが装着されたことが検出された場合には前記第３のポートをイネーブル状態に設定する制御手段とを具備することを特徴とする。
【００１４】
【発明の実施の形態】
以下、図面を参照してこの発明の実施形態を説明する。
【００１５】
図１には、この発明の一実施形態に係るポータブルパーソナルコンピュータの外観が示されている。このポータブルコンピュータはノートブックタイプのものであり、図示のように、コンピュータ本体１１にはＬＣＤユニット１２が閉塞位置と解放位置との間を回動自在に取り付けられている。コンピュータ本体１１の右側面には、ＦＤＤ／ＣＤＲＯＭ装着スロット１３が設けられている。このＦＤＤ／ＣＤＲＯＭ装着スロット１３には、内部ＦＤＤユニット１４と内部ＣＤＲＯＭドライブユニット１５とを交換自在に装着することができる。内部ＦＤＤユニット１４は３．５インチのＦＤに対応したドライブであり、また内部ＣＤＲＯＭドライブユニット１５は１２ｃｍのＣＤに対応したドライブである。
【００１６】
内部ＣＤＲＯＭドライブユニット１５は、図示のような逆階段状の形状を有しており、ドライブ機構を内蔵する箱型の基体部１５１と、その基体部１５１の上面に一対に設けられ基体部１５２よりも大きなサイズを持つ箱型のディスク収容部１５２とから成る。ディスク収容部１５２には、ＣＤ載置板１５３が取り出し自在に設けられている。
【００１７】
内部ＦＤＤユニット１４の長さ、幅、厚みは、それぞれＬ０、Ｌ１、Ｌ３＋Ｌ５である。内部ＣＤＲＯＭドライブユニット１５の基体部１５１の長さおよび幅は、内部ＦＤＤユニット１４と同じＬ０、Ｌ１に設定されている。また、内部ＣＤＲＯＭドライブユニット１５のディスク収容部１５２の長さおよび幅はそこに収容するＣＤのサイズ（１２ｃｍ）によって規定されるので、基体部１５２よりも大きいサイズを有している。ここでは、ディスク収容部１５２は基体部１５１の幅Ｌ１よりも大きいＬ２の幅を持ち、その長さは基体部１５１と同じＬ０である場合を想定する。この場合、ディスク収容部１５２は、図示のように、その一部が幅方向に基体部１５１よりも突出して位置される。突出部の幅は、Ｌ４（Ｌ４＝Ｌ２−Ｌ１）である。
【００１８】
ＦＤＤ／ＣＤＲＯＭ装着スロット１３は、内部ＣＤＲＯＭドライブユニット１５を収容できるような寸法に形成されており、その右隅には図示のようにガイド部１３１が設けられている。このガイド部１３１は、内部ＣＤＲＯＭドライブユニット１５をＦＤＤ／ＣＤＲＯＭ装着スロット１３に装着した時、基体部１５１とディスク収容部１５２との間の段差部に位置される。また、ガイド部１３１には、コ字状に切り欠かれたシステムボード２１のアーム部が支持されている。
【００１９】
また、コンピュータ本体１１の背面には外部ＦＤＤポートとして使用されるコネクタを初め、各種外部機器接続用のコネクタ類が設けられている。これらコネクタ類と外部機器とのインタフェースのための各種電気部品は、システムボード２１のコンピュータ本体背面側のアーム部上に実装される。
【００２０】
外部ＦＤＤポートには、図示のようにケーブル１７を介して３．５インチの外部ＦＤＤユニット１６を接続する事ができる。この外部ＦＤＤユニット１６は、ＦＤＤ／ＣＤＲＯＭ装着スロット１３に内部ＣＤＲＯＭドライブユニット１５が装着されている状態でＦＤを使用する場合に接続されるものであり、ＦＤＤ／ＣＤＲＯＭ装着スロット１３に内部ＦＤＤユニット１４が装着されている状態では使用されない。
【００２１】
次に、図２および図３を参照して、システムボード２１の形状を説明する。
【００２２】
図２には、ＦＤＤ／ＣＤＲＯＭ装着スロット１３に内部ＣＤＲＯＭドライブユニット１５を装着した場合における内部ＣＤＲＯＭドライブユニット１５とシステムボード２１の位置関係が示され、また図３には、ＦＤＤ／ＣＤＲＯＭ装着スロット１３に内部ＦＤＤユニット１４を装着した場合における内部ＦＤＤユニット１４とシステムボード２１の位置関係が示されている。
【００２３】
システムボード２１はコンピュータシステムを実現するための各種電気部品が実装されたプリント回路基板（ＰＣＢ）から構成されており、内部ＦＤＤユニット１４および内部ＣＤＲＯＭドライブユニット１５の基体部１５１と略同一サイズの矩形状の切り欠き部２２を有している。
【００２４】
ＦＤＤ／ＣＤＲＯＭ装着スロット１３に内部ＣＤＲＯＭドライブユニット１５を装着した場合には、図２に示されているように、内部ＣＤＲＯＭドライブユニット１５の基体部１５１がシステムボード２１の切り欠き部２２に収容される。この場合、基体部１５１から突出したディスク収容部１５２の一部は、システムボード２１表面から間隔を置いた位置に対向配置される。このため、システムボード２１におけるディスク収容部１５２と重なる部分にも、電気部品を実装することができる。システムボード２１の実装状態の一例を図４に示す。図４から分かるように、システムボード２１をコ字状に切り欠くことにより、そのシステムボード２１のコンピュータ本体背面側のアーム部上には、コンピュータ本体背面に設けられたコネクタ類と外部機器とのインタフェースのための各種電気部品３１を実装するスペースを確保できる。よって、配線を長く引き回す必要が無く、最適な実装レイアウトを実現できる。
【００２５】
また、ＦＤＤ／ＣＤＲＯＭ装着スロット１３に内部ＦＤＤユニット１４を装着した場合には、図３に示されているように、内部ＦＤＤユニット１４がシステムボード２１の切り欠き部２２に収容される。
【００２６】
このように、このポータブルコンピュータにおいては、コ字型に切り欠いたシステムボード２１の切り欠き部２２内に、内部ＦＤＤユニット１４または内部ＣＤＲＯＭドライブユニット１５が収容される。このため、コンピュータ本体１１の厚みは、内部ＦＤＤユニット１４または内部ＣＤＲＯＭドライブユニット１５の厚み（Ｌ３＋Ｌ５）にコンピュータ本体１１の筐体厚を加えた寸法で済み、システムボード２１の厚みはコンピュータ本体１１の厚みに関係しない。従って、例えば内部ＣＤＲＯＭドライブユニットまたは内部ＦＤＤユニットをシステムボードの上側または下側に重ねて配置した場合に比べてコンピュータ本体１１の厚みを低減でき、また、内部ＣＤＲＯＭドライブユニットまたは内部ＦＤＤユニットをシステムボードと重ならないようにシステムボードと並べて配置する場合に比べて、フットプリントを低減する事ができる。
【００２７】
また、内部ＣＤＲＯＭドライブユニット１５を、基体部１４１とそれよりも大きいディスク収容部１５２とを含む逆階段状の形状としているので、切り欠き部２２の面積を基体部１４１の床面積で決まる最小限の値に止めることができる。
【００２８】
次に、図５乃至図７を参照して、システムボード２１上のＣＤＲＯＭ用コネクタおよびＦＤＤ用コネクタと、内部ＦＤＤユニット１４および内部ＣＤＲＯＭドライブユニット１５それぞれのコネクタとの位置関係を説明する。
【００２９】
図５に示されているように、システムボード２１上には、切り欠き部２２の左側にＣＤＲＯＭ用コネクタ２３およびＦＤＤ用コネクタ２４が並んで配置されている。以下、システムボード２１上のＣＤＲＯＭ用コネクタおよびＦＤＤ用コネクタは、それぞれ内部ＣＤＲＯＭポート、内部ＦＤＤポートと称することにする。
【００３０】
また、内部ＦＤＤユニット１４と内部ＣＤＲＯＭドライブユニット１５とでは、コネクタ３１，３２の取り付け位置が図６および図７のように互いにずれている。このため、ＦＤＤ／ＣＤＲＯＭ装着スロット１３に内部ＦＤＤユニット１４を装着した場合には内部ＦＤＤユニット１４のコネクタ３１は内部ＦＤＤポート２４に直接接続され、一方、ＦＤＤ／ＣＤＲＯＭ装着スロット１３に内部ＣＤＲＯＭドライブユニット１５を装着した場合には内部ＣＤＲＯＭドライブユニット１５のコネクタ３２は内部ＣＤＲＯＭポート２３に直接接続される。
【００３１】
また、内部ＦＤＤユニット１４のコネクタ３１と内部ＦＤＤポート２４との間、および内部ＣＤＲＯＭドライブユニット１５のコネクタ３２と内部ＣＤＲＯＭポート２３との間を、それぞれケーブルを介して接続することもできる。
【００３２】
図８には、図１のポータブルコンピュータのシステム構成が示されている。
【００３３】
このシステムには、図示のように、システムバス１００、ＣＰＵ１０１、システムメモリ１０２、ＢＩＯＳ  ＲＯＭ１０３、フロッピーディスクコントローラ（ＦＤＣ）１０４、ＣＤＲＯＭコントローラ１０５、およびゲートＩＣ回路１０６が含まれている。
【００３４】
フロッピーディスクコントローラ１０４は、内部ＦＤＤポート２３に接続される内部ＦＤＤユニット１４、またはコンピュータ本体１１背面上の外部ＦＤＤポート２５に接続される外部ＦＤＤユニット１６を制御するためのＩ／Ｏコントローラであり、内部ＦＤＤポート２３と外部ＦＤＤポート２５の双方に共通接続されている。この場合、フロッピーディスクコントローラ１０４と外部ＦＤＤポート２５との間には、ゲートＩＣ回路１０６が介在されている。
【００３５】
ゲートＩＣ回路１０６は、外部ＦＤＤポート２５をイネーブル／ディスエーブルするためのハードウェアである。外部ＦＤＤポート２５をイネーブルにする時は、ゲートＩＣ回路１０６はオンし、フロッピーディスクコントローラ１０４からの信号をそのまま外部ＦＤＤポート２５に伝達する。一方、外部ＦＤＤポート２５をディスエーブルにする時は、ゲートＩＣ回路１０６はオフし、フロッピーディスクコントローラ１０４から外部ＦＤＤポート２５への信号伝達を遮断する。
【００３６】
このようなゲートＩＣ回路１０６のスイッチング動作は、そのイネーブル入力ＥＮに入力されるスイッチ制御信号の論理“Ｈ”／“Ｌ”によって決定される。すなわち、スイッチ制御信号の論理が“Ｈ”ならばゲートＩＣ回路１０６はオンし、スイッチ制御信号の論理が“Ｌ”ならばゲートＩＣ回路１０６はオフする。
【００３７】
スイッチ制御信号は、図１のＦＤＤ／ＣＤＲＯＭ装着スロット１３に内部ＦＤＤユニット１４が装着されているか否かを示す信号である。この場合、“Ｈ”のスイッチ制御信号は内部ＦＤＤユニット１４が装着されて無いことを示し、“Ｌ”のスイッチ制御信号は内部ＦＤＤユニット１４が装着されていることを示す。
【００３８】
このスイッチ制御信号は、図９に示されているように、内部ＦＤＤポート２３の複数のグランドピン（ＧＮＤ１〜３）の中の所定の１つ（ＧＮＤ３）の電圧値を利用して生成される。ＧＮＤ３のピンは、システムボード２１上の抵抗Ｒを介してＶＣＣ端子に接続されている。
【００３９】
このため、ＦＤＤ／ＣＤＲＯＭ装着スロット１３に内部ＦＤＤユニット１４が装着されて無い場合、つまり内部ＦＤＤポート２３に内部ＦＤＤユニット１４が接続されて無いならば、ＧＮＤ３のピンは“Ｈ”レベルにプルアップされ、これによって“Ｈ”のスイッチ制御信号が発生される。
【００４０】
一方、ＦＤＤ／ＣＤＲＯＭ装着スロット１３に内部ＦＤＤユニット１４が装着されている場合、つまり内部ＦＤＤポート２３に内部ＦＤＤユニット１４が接続されていれば、ＧＮＤ３のピンは内部ＦＤＤユニット１４内部のグランドに接続されるため、“Ｌ”レベルにプルダウンされる。これによって“Ｌ”のスイッチ制御信号が発生される。
【００４１】
従って、この図８のシステムにおいては、ＦＤＤ／ＣＤＲＯＭ装着スロット１３に内部ＦＤＤユニット１４が装着されると、“Ｌ”のスイッチ制御信号によってゲートＩＣ回路１０６がオフし、これによってフロッピーディスクコントローラ１０４から外部ＦＤＤポート２５への信号伝達が遮断される。したがって、フロッピーディスクコントローラ１０４からのアクセス信号は、内部ＦＤＤポート２３にのみ送られる。よって、内部ＦＤＤユニット１４だげがアクセスされ、たとえ外部ＦＤＤポートに外部ＦＤＤユニット１６が接続されていたとしても、外部ＦＤＤユニット１６はアクセスされない。
【００４２】
一方、ＦＤＤ／ＣＤＲＯＭ装着スロット１３に内部ＦＤＤユニット１４が装着されて無い場合、つまりＦＤＤ／ＣＤＲＯＭ装着スロット１３に内部ＣＤＲＯＭドライブユニット１５が装着されている場合には、“Ｈ”のスイッチ制御信号によってゲートＩＣ回路１０６がオンし、これによってフロッピーディスクコントローラ１０４から外部ＦＤＤポート２５への信号伝達が許可される。したがって、フロッピーディスクコントローラ１０４からのアクセス信号は、内部ＦＤＤポート２３と外部ＦＤＤポート２５の双方に送られる。よって、外部ＦＤＤユニット１６が接続されていれば、外部ＦＤＤユニット１６のアクセスが可能となる。
【００４３】
このように、このシステムにおいては、ＦＤＤ／ＣＤＲＯＭ装着スロット１３に内部ＣＤＲＯＭドライブユニット１５を装着した場合には内部ＦＤＤユニット１４は使用できないが、その代わりに外部ＦＤＤポート２５が自動的にイネーブル状態に設定されて、外部ＦＤＤユニット１６を使用することが可能になる。このため、ユーザはセットアップ処理などによって外部ＦＤＤユニット１６の使用の有無を設定することなく、ＦＤＤ／ＣＤＲＯＭ装着スロット１３にＣＤＲＯＭドライブユニット１５を装着した状態で外部ＦＤＤポート２５に外部ＦＤＤユニット１６を接続しさえすれば、その外部ＦＤＤユニット１６のリード／ライトを行う事ができる。
【００４４】
また、ＦＤＤ／ＣＤＲＯＭ装着スロット１３に内部ＦＤＤユニット１４を装着した場合には、外部ＦＤＤポート２５が自動的にディスエーブルされるので、外部ＦＤＤユニット１６が誤って外部ＦＤＤポート２５に接続されていても信号の衝突などの誤動作が生じることは無い。
【００４５】
図１０には、システム構成の変形例が示されている。この図１０のシステムは、図８のシステムに比し、スイッチ制御信号はＣＤＲＯＭポート２５の所定ピンの電圧を利用して発生されている点だけが異なっており、他の点は図８のシステムと同一である。
【００４６】
すなわち、図１０のシステムにおいては、ゲートＩＣ回路１０６に入力されるスイッチ制御信号は、ＦＤＤ／ＣＤＲＯＭ装着スロット１３に内部ＣＤＲＯＭドライブユニット１５が装着されているか否かを示す信号である。この場合、“Ｈ”のスイッチ制御信号は内部ＣＤＲＯＭドライブユニット１５が装着されていることを示し、“Ｌ”のスイッチ制御信号は内部ＣＤＲＯＭドライブユニット１５が装着されて無いことを示す。
【００４７】
このスイッチ制御信号は、図１１に示されているように、ＣＤＲＯＭポート２４の複数の電源ピン（ＶＣＣ１〜３）の中の所定の１つ（ＶＣＣ３）の電圧値を利用して生成される。ＶＣＣ３のピンは、システムボード２１上の抵抗Ｒを介して接地されている。
【００４８】
このため、ＦＤＤ／ＣＤＲＯＭ装着スロット１３に内部ＣＤＲＯＭドライブユニット１５が装着されており、内部ＦＤＤユニット１４が装着されて無い場合、つまりＣＤＲＯＭポート２４に内部ＣＤＲＯＭドライブユニット１５が接続されている場合には、ＶＣＣ３のピンは内部ＣＤＲＯＭドライブユニット１５内のＶＣＣ端子に接続されて、“Ｈ”レベルにプルアップされ、これによって“Ｈ”のスイッチ制御信号が発生される。
【００４９】
一方、内部ＣＤＲＯＭドライブユニット１５の代わりに、ＦＤＤ／ＣＤＲＯＭ装着スロット１３に内部ＦＤＤユニット１４が装着されている場合、つまりＣＤＲＯＭポート２４に内部ＣＤＲＯＭドライブユニット１５が接続されて無いならば、ＶＣＣ３のピンは“Ｌ”レベルにプルダウンされる。これによって“Ｌ”のスイッチ制御信号が発生される。
【００５０】
したがって、このシステムにおいても、内部ＦＤＤユニット１４の装着の有無に応じて、外部ＦＤＤポート２５を自動的にイネーブル／ディスエーブルすることができる。
【００５１】
なお、ここでは、コンピュータ本体１１の背面にある外部ＦＤＤポート２５に外部ＦＤＤユニット１６を接続する場合を例にとって説明したが、コンピュータ本体１１の背面にポートリプリケータなどの拡張ユニットを装着し、そこに外部ＦＤＤユニットを装着することもできる。
【００５２】
以上説明したように、この実施形態によれば、コンピュータ本体の厚さやフットプリントの増大を招くこと無く、ＣＤＲＯＭドライブユニットとＦＤＤユニットとをコンピュータ本体内に選択的に装着できるようになる。また、ＣＤＲＯＭドライブユニットとＦＤＤユニットのどちらが装着されているかに応じて、外部ＦＤＤポートのイネーブル／ディスエーブルを自動的に制御できるので、ＣＤＲＯＭドライブユニットと外部ＦＤＤ、または内部ＦＤＤのみといったシステム環境を容易に実現できる。
【００５３】
【発明の効果】
以上説明したように、この発明によれば、小型化に対応でき、しかもそれによる誤動作の発生を防止することが可能となる。
【図面の簡単な説明】
【図１】この発明の一実施例に係るポータブルコンピュータの外観を示す斜視図。
【図２】図１のポータブルコンピュータに設けられたＦＤＤ／ＣＤＲＯＭ装着スロットに内部ＣＤＲＯＭドライブユニットを装着した場合における内部ＣＤＲＯＭドライブユニットとシステムボードとの位置関係を示す図。
【図３】図１のポータブルコンピュータに設けられたＦＤＤ／ＣＤＲＯＭ装着スロットに内部ＦＤＤユニットを装着した場合における内部ＦＤＤユニットとシステムボードとの位置関係を示す図。
【図４】図１のポータブルコンピュータ内における各種部品の実装状態の一例を示す図。
【図５】図１のポータブルコンピュータのシステムボード上に実装された内部ＦＤＤポートおよびＣＤＲＯＭポートを示す図。
【図６】図１のポータブルコンピュータに装着される内部ＦＤＤユニットのコネクタ装着位置を示す図。
【図７】図１のポータブルコンピュータに装着される内部ＣＤＲＯＭドライブユニットのコネクタ装着位置を示す図。
【図８】図１のポータブルコンピュータのシステム構成の一例を示すブロック図。
【図９】図８のシステムに設けられたゲ−トＩＣ回路を制御するスイッチ制御信号の発生原理を説明するための図。
【図１０】図１のポータブルコンピュータのシステム構成の他の例を示すブロック図。
【図１１】図１０のシステムに設けられたゲ−トＩＣ回路を制御するスイッチ制御信号の発生原理を説明するための図。
【符号の説明】
１１…コンピュータ本体、１２…ＬＣＤユニット、１３…ＦＤＤ／ＣＤＲＯＭ装着スロット、１４…３．５インチ内部ＦＤＤユニット、１５…１２ｃｍＣＤＲＯＭドライブユニット、１６…３．５インチ外部ＦＤＤユニット、２１…システムボード、２２…切り欠き部、１５１…基体部、１５２…ディスク収容部、１０１…ＣＰＵ、１０２…システムメモリ、１０３…ＢＩＯＳ  ＲＯＭ、１０４…フロッピーディスクコントローラ、１０５…ＣＤＲＯＭコントローラ、１０６…ゲートＩＣ回路。
【図１】
0003576096.tif 000002
【図２】
0003576096.tif 000003
【図３】
0003576096.tif 000004
【図４】
0003576096.tif 000005
【図５】
0003576096.tif 000006
【図６】
0003576096.tif 000007
【図７】
0003576096.tif 000008
【図８】
0003576096.tif 000009
【図９】
0003576096.tif 000010
【図１０】
0003576096.tif 000011
【図１１】
0003576096.tif 000012